(57)【特許請求の範囲】
【請求項１】
帳票を送り出す帳票供給部と、帳票に付されたマークを読み取る読取装置と、前記帳票供給部から送り出された帳票を積層状態で収納するスタッカ部とを備え、このスタッカ部が、前記帳票供給部から排出される帳票を前記読取装置からの情報に基づいて集積し、名寄せした後に排出する名寄せ部と、その名寄せ部の排出側に配置され、前記名寄せ部から排出された帳票を積層状態で収納する集積部と、前記名寄せ部が帳票を排出した後、次の帳票を排出するまでの間に、名寄せ部から排出されて集積部に収納された帳票と次に名寄せ部から排出される帳票との間に、前記帳票より狭い幅の合紙を、少なくともその一端が帳票の端縁から外側に延び出すように挿入する合紙挿入装置を有し、該合紙挿入装置が、前記スタッカ部に集積される帳票の幅方向に離れた位置に合紙を挿入させることができるよう、複数台設けられていることを特徴とする合紙挿入装置付スタッカ。
【発明の詳細な説明】
【０００１】
【発明の属する技術分野】
本発明は、帳票が積層状態で収納されるスタッカに関し、特に積層された帳票を区分けするために、帳票と後続の帳票との間に区分け用の合紙を挿入する装置を備えたスタッカに関する。
【０００２】
【従来の技術】
従来、所定の情報を印字した帳票を、徐々に降下する集積台の上に次々と排出することにより積み重ねながら収納するスタッカが使用されている。また、その帳票を集積台上に積み重ねて行く際、連続して排出されてくる帳票を関連のある帳票の単位毎に区分け（以下名寄せという）するため、名寄せすべき関連のある帳票の最後のものとその上に集積される次の帳票との間に、幅の狭い合紙を、少なくともその一端が帳票の端縁から外側に延び出すように挿入する合紙挿入装置を備えたものも知られている。
【０００３】
【発明が解決しようとする課題】
しかしながら、従来のスタッカにおける合紙挿入装置は、関連のある帳票の最後のものが集積台上に排出されて積み上げられた後、次の帳票が落下してくるまでの間に合紙を送り出すため、きわめて短い時間（例えば、０．３秒程度）の間にタイミングを合わせて且つ高速で合紙を送り出す必要があるが、合紙自体は腰がないため、高速で送り出すことが困難であり、結局、挿入ミスが発生しやすいという問題があった。
【０００４】
本発明は、かかる従来の問題点に鑑みて為されたもので、処理能力を低下させることことなく、合紙を良好に挿入することの可能な合紙挿入装置付スタッカを提供することを目的とする。
【０００５】
【課題を解決するための手段】
本発明は上記問題点を解決するため、スタッカ部へ送り込まれる帳票を、直接集積部に排出する代わりに、関連のある複数の帳票を一旦名寄せ部で集積して名寄せし、その後、集積部に排出するように構成し、名寄せした帳票を集積部に送り出して積層状態に収納させた後、次の名寄せした帳票を送り込むまでの間に合紙を送り込むように構成したものである。本発明ではこのように、名寄せ部で一旦複数枚の帳票を名寄せし、その後集積部に送り出して積層状態に収納させるため、名寄せ部から集積部への帳票の排出の時間間隔が長くなり、このため、合紙の挿入に十分な時間を確保でき、確実な合紙挿入を行うことができる。更に、本発明は合紙として前記帳票より狭い幅の、例えば、２分の１或いは３分の１以下のものを用い、その合紙を送り込むための合紙挿入装置を、スタッカ部に集積される帳票の幅方向に離れた位置に合紙を挿入させることができるよう、複数台設けるという構成とする。この構成としたことで、スタッカ部に集積される帳票の幅方向に離れた位置に合紙を挿入させることができ、積層した帳票への合紙挿入による盛り上がりを分散させて帳票を崩れにくくすることができる。
【０００６】
【発明の実施の形態】
本発明のスタッカは、帳票を送り出す帳票供給部と、帳票に付されたマークを読み取る読取装置と、前記帳票供給部から送り出された帳票を積層状態で収納するスタッカ部とを備え、このスタッカ部が、前記帳票供給部から排出される帳票を前記読取装置からの情報に基づいて集積し、名寄せした後に排出する名寄せ部と、その名寄せ部の排出側に配置され、前記名寄せ部から排出された帳票を積層状態で収納する集積部と、前記名寄せ部が帳票を排出した後、次の帳票を排出するまでの間に、名寄せ部から排出されて集積部に収納された帳票と次に名寄せ部から排出される帳票との間に、前記帳票より狭い幅の合紙を、少なくともその一端が帳票の端縁から外側に延び出すように挿入する合紙挿入装置を有し、該合紙挿入装置が、前記スタッカ部に集積される帳票の幅方向に離れた位置に合紙を挿入させることができるよう、複数台設けられていることを特徴とする。
【０００７】
本発明は上述構成により、帳票供給部が次々と送り出す関連のある帳票を、一旦名寄せ部で集積し、所定枚数を名寄せした後、集積部に排出して積層状態で収納し、その帳票の表面に合紙挿入装置が合紙を送り込み、その後、再び名寄せ部で名寄せした帳票を集積部に排出して積層状態で収納するという動作を繰り返し行うことができ、名寄せした帳票と、次に名寄せする帳票との間に合紙を挿入しながら帳票を積層状態として収納することができる。ここで、名寄せ部で名寄せした帳票を集積部に排出した後、次の名寄せした帳票を排出するまでの時間間隔は、名寄せ枚数に応じて長くなるので、合紙挿入に十分な時間を確保でき、合紙を従来のように高速で送ることなく挿入でき、確実な合紙挿入が行われる。また、スタッカ部に集積される帳票の幅方向に離れた位置に合紙を挿入するので、積層した帳票への合紙挿入による盛り上がりを分散させて帳票を崩れにくくすることができる。
【０００８】
【実施例】
図１は本発明の一実施例による合紙挿入装置付スタッカを示す概略側面図、図２はその概略平面図、図３は図１のＡ−Ａ矢視概略平面図、図４は図１のＢ−Ｂ矢視概略側面図、図５はこの実施例の装置に使用する連続帳票を示す概略斜視図である。図１〜図５において、１は所定の情報を記録した連続帳票であり、両側縁に送り用のピン穴２を有すると共に、長手方向に適当な間隔を開けて、単票の帳票１Ａに切り離すためのミシン目３を有している。また、その連続帳票１には、名寄せのための情報を示すマーク４が印字されている。
【０００９】
１０は、折り畳んだ状態の連続帳票１を引き出し、搬送するピントラクター、１２はその連続帳票１の両側縁部を切断して除去するためのスリッター、１４は引き出した連続帳票１を個々の帳票１Ａに裁断して送り出す帳票裁断部であり、インフィードローラ１５、アウトフィードローラ１６、ブレード１７を備えている。２０は、連続帳票１に印字されたマーク４を読み取る読取装置であり、その読取装置２０が読み取ったマーク４が示す名寄せ情報は、後述するように名寄せ部及び合紙挿入装置の制御に使用される。
【００１０】
２１は、切り離した単票の帳票１Ａを搬送して送り出す帳票供給部であり、複数本の搬送ベルト２２と押えコロ２３等を備えている。２４は帳票供給部２１から送り出された帳票１Ａを受け取り、積層状態で収納するスタッカ部である。このスタッカ部２４は、連続して排出されてくる関連のある帳票１Ａのみを一旦集積して名寄せし、次の帳票１Ａが送られて来た時には、先に名寄せした帳票を下方に送ることで後続の帳票１Ａから分離する名寄せ部２５と、その名寄せ部２５の下方に配置され、名寄せ部２５から排出される帳票１Ａを積層した状態で受け取り、収納する集積部２６を有している。
【００１１】
名寄せ部２５としては、公知の構成をものを適宜使用可能であるが、本実施例では、互いに対称なスパイラルを備えた一対のスパイラルファン２８と、ストッパ２９を有するものが使用されている。この名寄せ部２５による名寄せは次のように行われる。すなわち、一対のスパイラルファン２８が、図６（ａ）、（ｂ）に示す状態で停止している間に、その一対のスパイラルファン２８の上に、帳票１Ａが次々と送られて集積され、名寄せすべき帳票の最後のものが送られた直後に、図７（ａ）、（ｂ）に示すように、読取装置２０（図１参照）からの情報に基づいて一対のスパイラルファン２８が互いに反対方向に回転する。これにより、先に名寄せされた帳票１Ａは、スパイラルファン２８のスパイラルに沿って下方に送られ、後続の帳票１Ａ′が集積される位置から分離される。スパイラルファン２８は、最初の位置から１回転したところで停止し、先に名寄せされた帳票１Ａを下方に排出し、再び図６（ａ）、（ｂ）に示す状態となる。以下、同様の動作を繰り返すことで、所定の帳票１Ａを名寄せして、下方に排出できる。
【００１２】
図１〜図４において、集積部２６は、名寄せ部２５から下方に排出される帳票１Ａを受け取る位置に配置された集積台３０を有し、その集積台３０はその上に積層状態で保持する帳票１Ａの最上面がほぼ同じ高さに保たれるよう、帳票の積層につれて下降するようになっている。
【００１３】
スタッカ部２４は、更に３台の合紙挿入装置３２を備えている。各合紙挿入装置３２は、巻取状態でセットされている幅の狭い合紙３３を引き出し、集積台３０上に集積されている帳票１Ａの上に送り出す送りローラ３４と、送り出された合紙３３を切り離すカッター３５等を備えている。従って、名寄せ部２５から名寄せした帳票１Ａを集積台３０上に排出した後、その上に合紙挿入装置３２で合紙３３を送り出し、次いで再び名寄せ部２５から名寄せした帳票１Ａを排出するという動作を繰り返すことにより、名寄せされた帳票間に合紙３３を挿入して行くことができる。ここで、帳票１Ａ間に挿入される合紙３３は、少なくともその一端が帳票１Ａの端縁から延び出すように挿入されるが、その挿入深さは、通常、帳票１Ａの長さの約半分以上に選定される。３台の合紙挿入装置３２は、図３、図４から良く分かるように、集積台３０上に集積される帳票１Ａの幅方向に離れた位置に合紙３３を挿入するように配置されている。なお、図示は省略しているが装置全体を制御する制御装置が設けられており、下記の動作を制御するようになっている。
【００１４】
次に、上記構成の合紙挿入装置付スタッカについて、その動作を説明する。
ピントラクター１０が連続帳票１を引き出し、スリッター１２がその両側縁のマージンの部分を切り離し、帳票裁断部１４が連続帳票１を単票の帳票１Ａに切り離して帳票供給部２１に送り出す。また、読取装置２０は連続帳票１のマーク４を読み取り、単票の帳票１Ａの名寄せ情報を制御装置（図示せず）に出力する。帳票供給部２１は単票の帳票１Ａを次々と名寄せ部２５に排出し、名寄せ部２５は名寄せすべき所定の帳票１Ａを一対のスパイラルファン２８上に集積する。そして、名寄せすべき最後の帳票１Ａが一対のスパイラルファン２８上に排出されると、制御装置は読取装置２０による読取情報に基づいてその排出タイミングを判断し、一対のスパイラルファン２８を１回転させる。これにより、名寄せされた帳票１Ａが下方に送られ、集積台３０上に排出される。また、後続の帳票１Ａは一対のスパイラルファン２８上に集積され、名寄せされる。
【００１５】
名寄せした帳票１Ａが集積台３０に落下すると、そのタイミングを制御装置が判断して、一つの合紙挿入装置３２を作動させ、合紙３３を集積台３０上の帳票１Ａの上に送り込む。その後、名寄せ部２５での名寄せ終了につれて、再び一対のスパイラルファン２８が１回転し、名寄せした帳票１Ａを排出し、集積台３０上の帳票１Ａ及び合紙３３の上に積み重ねる。これにより、名寄せした帳票と、次の名寄せした帳票との間に合紙３３が挿入されることとなる。
【００１６】
次に、集積台３０上に排出され、集積された帳票１Ａの上に、今度は、別の合紙挿入装置３２が作動して合紙３３を送り込む。以下同様の動作を繰り返すことにより、帳票裁断部１４で単票に切り離され、次々と排出される帳票１Ａが名寄せ部２５で名寄せされ、下方の集積台３０上に積み重ねられると共に、各名寄せした帳票１Ａ間に、合紙３３が３台の合紙挿入装置３２を順次使用して挿入されてゆく。かくして、集積台３０上に集積された帳票１Ａには、合紙３３が３ヶ所に分散して挿入され、そのため、合紙挿入による盛り上がりが小さく、集積した帳票が崩れにくく、安定した集積が行われる。
【００１７】
以上に述べた集積時において、帳票裁断部１４及びその下流の帳票供給部２１は、高速で次々と単票の帳票１Ａを排出しているが、排出された帳票１Ａは一旦、名寄せ部２５で名寄せすべき枚数だけ留められ、その後、集積台３０に排出されるため、名寄せした帳票１Ａが集積台３０に排出された後、次の帳票１Ａが排出されるまでには、かなりの時間があり、この間に合紙３３を挿入すればよい。このため、合紙３３の挿入に十分な時間が確保され、確実に合紙挿入が行われる。
【００１８】
１台の合紙挿入装置３２が故障した時には、残りの合紙挿入装置３２で合紙挿入を行う。これにより、名寄せ機能が損なわれることはない。
【００１９】
なお、上記実施例では、合紙挿入装置３２を３台配置しているが、合紙挿入装置３２の使用台数は３台に限らず、複数台であればよい。複数台の合紙挿入装置３２の配置は、帳票１Ａの中心に対して対称となる位置に配置することが、積層した帳票を安定させ、崩れにくくするので好ましい。更に、複数の合紙挿入装置３２を配置するに際し、全ての合紙挿入装置３２を集積台３０に対して片側に配置する場合に限らず、図９に示すように、合紙挿入装置３２を集積台３０の両側に配置するようにしてもよい。更に、上記実施例では、図３に示すように合紙挿入装置３２で合紙３３を、一端のみが帳票１Ａの端縁から延び出すように挿入しているが、図８に示すように、合紙３３の両端が帳票１Ａの両側に延び出すように挿入する構成としてもよい。この構成とすると、集積した帳票１Ａの前後方向の盛り上がりが均等となり、一層崩れにくいという利点が得られる。
【００２０】
更に、上記実施例では、帳票供給部２１の上流に連続帳票を単票の帳票に裁断する帳票裁断部１４を設けているが、帳票裁断部１４を省略し、別の場所で単票とした帳票を帳票供給部２１にセットし、帳票供給部２１でそれを１枚ずつ引き出して送り出す構成としてもよい。また、上記実施例では、名寄せ部２５と積層部２６の配置関係及び帳票の積層方向を上下としているが、本発明は必ずしもこの構成に限らず、例えば、名寄せ部で帳票を立てた状態で集積し、それを水平に集積部に送り出して収納させるように構成してもよい。
【００２１】
【発明の効果】
以上に説明したように、本発明のスタッカは、帳票を送り出す帳票供給部と、帳票に付されたマークを読み取る読取装置と、前記帳票供給部から送り出された帳票を積層状態で収納するスタッカ部とを備え、このスタッカ部が、前記帳票供給部から排出される帳票を前記読取装置からの情報に基づいて集積し、名寄せした後に排出する名寄せ部と、その名寄せ部の排出側に配置され、前記名寄せ部から排出された帳票を積層状態で収納する集積部と、前記名寄せ部が帳票を排出した後、次の帳票を排出するまでの間に、名寄せ部から排出されて集積部に収納された帳票と次に名寄せ部から排出される帳票との間に合紙を供給する合紙挿入装置を有する構成としたことにより、帳票供給部が次々と送り出す関連のある帳票を、一旦名寄せ部で集積して名寄せし、所定枚数を名寄せした後、集積部に送った積層状態で収納し、その表面に合紙挿入装置が合紙を送り込み、その後、再び名寄せ部が名寄せした帳票を集積部に排出して積層状態に収納するという動作を繰り返し行うことができ、名寄せした帳票と次に名寄せする帳票との間に合紙を確実に挿入しながら帳票を積層状態で収納することができるという効果を有している。更に、本発明のスタッカは、前記合紙挿入装置を、スタッカ部に集積される帳票の幅方向に離れた位置に合紙を挿入させることができるよう、複数台設ける構成としたことにより、積層した帳票への合紙挿入による盛り上がりを分散させて帳票を崩れにくくすることができるという効果も有している。
【図面の簡単な説明】
【図１】  本発明の一実施例による合紙挿入装置付スタッカを示す概略側面図
【図２】  図１に示す実施例の概略平面図
【図３】  図１のＡ−Ａ矢視概略平面図
【図４】  図１のＢ−Ｂ矢視概略側面図
【図５】  上記実施例に使用する連続帳票を示す概略斜視図
【図６】  上記実施例に使用した名寄せ部の動作を説明するもので、（ａ）は名寄せ中の状態を示す概略平面図、（ｂ）はその時の概略側面図
【図７】  上記実施例に使用した名寄せ部の動作を説明するもので、（ａ）は名寄せを終わってスパイラルファンを回転させている途中の状態を示す概略平面図、（ｂ）はその時の概略側面図
【図８】  帳票間に挿入する合紙の挿入深さの変形例を示す概略平面図
【図９】  合紙挿入装置の配置の変形例を示す概略平面図
【符号の説明】
１  連続帳票
１Ａ  単票の帳票
４  マーク
１０  ピントラクター
１２  スリッター
１４  帳票裁断部
１５  インフィードローラ
１６  アウトフィードローラ
１７  ブレード
２０  読取装置
２１  帳票供給部
２４  スタッカ部
２５  名寄せ部
２６  集積部
２８  スパイラルファン
２９  ストッパ
３０  集積台
３２  合紙挿入装置
３３  合紙
【図１】
0003969768.tif 000002
【図２】
0003969768.tif 000003
【図３】
0003969768.tif 000004
【図４】
0003969768.tif 000005
【図５】
0003969768.tif 000006
【図６】
0003969768.tif 000007
【図７】
0003969768.tif 000008
【図８】
0003969768.tif 000009
【図９】
0003969768.tif 000010